(57)【要約】      （修正有）【課題】使用しない場合は折り畳んだ状態にし、使用時に展開する折り畳み式包装容器であって、安定した展開状態が得られる木質折り畳み式包装容器を提供する。【解決手段】商品類の折り畳み式包装容器として、折り畳み式収納容器部４と、一枚の薄板又は平紙巻き正方形、又は長方形の平方体を全体的に又は部分的に巻く包装部５とからなり、折り畳み式収納容器部は、０．５〜２ｍｍの薄板、又は平紙によって構成され、正方形、又は長方形の四辺に折り曲げ可能な各側板部を持ち、長手方向の側板部には短手方向の側板を接合できるように３〜４箇所の糊代部を設け、短手方向の二箇所の側板にはそれぞれ余足部７を有する。薄板は、折り曲げ可能な押圧溝を各箇所に付けた０．５〜１ｍｍ厚の樹脂フイルムで表面コートされ、平紙は装飾模様を有する。【選択図】図１
0003223519.tif 000002
【実用新案登録請求の範囲】
【請求項１】
折り畳み式包装容器として、折り畳み式収納容器部と、一枚の薄板又は平紙巻き正方形、又は長方形の平方体を全体的に又は部分的に巻く包装部とからなり、折り畳み式収納容器部は、０．５〜２ｍｍの薄板、又は平紙によって構成されていて、正方形、又は長方形の平方体である正方体、又は長方体の四辺に折り曲げ可能な各側板部を持っており、長手方向の側板部には短手方向の側板を接着できるように三角形状の糊代部を４箇所に設けて、短手方向の二箇所の側板にはそれぞれ余足部を設けて、正方体、又は長方体の箱状容器を構成できるように組み立て時に折り曲げ可能な押圧溝を各箇所に付けた樹脂フイルム加工を片面に施した０．５〜１ｍｍの表面コートした薄板、又は装飾模様を示した平紙からなる箱状容器であって、一枚の薄板、又は平紙巻き包装部は、長手方向の幅で短手方向の幅と側面の幅を加算した寸法の１〜２倍にして、それに一側面の幅程度を加算した長さを持つ樹脂フイルムでコートした０．２〜０．５ｍｍの薄板、或は０．３〜２ｍｍの厚さの平紙で構成されていることを特徴とする折り畳み式簡易包装容器。
【請求項２】
折り畳み式包装容器に構成される箱状容器は、縦５０〜４００ｍｍ、横５０〜４００ｍｍ、高さ２５〜２００ｍｍの寸法で、０．５〜２ｍｍの薄板、又は平紙によって折り畳み形式で構成されており、前記箱状正方体、又は長方体容器における長手方向の側板部の端に付いている糊代部は一辺２０〜４０ｍｍの三角形、又は四角形の形状にして、短手方向の側板に付いている余足部は８〜１５ｍｍの幅の正方形状、又は長方形状にして、折り曲げ可能な押圧溝を蓋板面に３〜４個所、底板容器部に３〜４箇所、糊代部３〜４箇所、補足部に１〜２箇所、短手方向の側板の斜め折り曲げ部２〜４箇所に、表面処理した紙、又は樹脂フイルムを施している薄板の処理面に０．１〜１．５ｍｍ幅の押圧溝部を設けていることを特徴とする請求項１に記載の折り畳み式簡易包装容器。
【請求項３】
折り畳み式包装容器に構成される一枚の薄板又は平紙巻き正方体、又は長方体を全体的に又は部分的に巻く包装部は、薄板としてスライスした０．２〜０．５ｍｍの厚さの杉、檜、松、樅の薄板平板に、片面にオレフィン系樹脂フイルムの１０〜１００μｍの接着剤を塗布して圧縮加熱による接着を施したものであって、木質の木目が鮮明に露呈でるように加工したものであり、樹脂フイルム接着面に木質との通気性を持たせるように樹脂面に突穴を設けており、前記平薄板においては、前記箱状正方体、又は長方体の容器を全体的に又は部分的に巻き回しできるように寸法にあわせて０．１〜１．５ｍｍ幅の押圧溝部を短手方向で２〜５箇所に設けていることを特徴とする請求項１に記載の折り畳み式簡易包装容器。
【請求項４】
折り畳み式収納容器部と一枚の薄板巻き正方体、又は長方体を全体的に又は部分的に巻く包装部とからなる折り畳み式包装容器は、平方体の包装部の一部と折り畳み式包装容器の裏面とを固着させており、折り畳み式包装容器の正方形、又は長方形の四辺に折り曲げ可能な各側板部で、長手方向の側板部には短手方向の側板とを接合できるように３〜４箇所の糊代部で接合した後に、短手側板の斜め折り曲げ部を内側に押し曲げて平方体にして、折り畳み式収納容器部と一枚の薄板、及び平紙を全体的に又は部分的に巻き薄板，又は平紙の巻き包装部と一対として重ねあわせて、折り畳み式包装容器における蓋の役目になっていることを特徴とする請求項１、又は請求項２のいずれかに記載の折り畳み式簡易包装容器。
【請求項５】
一枚の薄板、又は平紙を巻く包装部には、無垢木材の木目状態を呈しての薄板、及び平紙の表面に日本古来の絵柄、又は祝い様相の精巧で、緻密な立体感を持つ絵柄、或は図柄、或はプリント写真、或は文体を描いており風景・自然、植物・動物・食品のプリント写真、又はペット写真を、一枚の薄板、又は平紙巻き蓋面に当たる部分の表面の５〜８０％の面積に、ＵＶ印刷又はレーザープリント、又は焼き印を施していることを特徴とする請求項１〜請求項４のいずれかに記載の折り畳み式簡易包装容器。
【考案の詳細な説明】
【技術分野】
【０００１】この考案は箱形の平薄板と紙の容器に薄板を巻いて収納・使用できる簡易な折り畳み式包装収納容器であって、特に使用していない場合折り畳んで収納できる折り畳み式簡易包装容器に関する。
【背景技術】
【０００２】木目をもって木の香りがし、表面の装飾性を向上させて、衛生的見地からしても好ましい封筒状包装袋体として、木製薄板で加工された包装袋体において、エゾマツ材、モミ材、ヒノキ材、スギ材、マツ材から選ばれた厚さ０．１〜２ｍｍの木製の薄平板の両面、又は片面に、ポリオレフィン系の極薄膜樹脂フイルムを食品安全な接着剤によって被覆させた自然木状表面を持つ擬似未加工状態の薄板の一枚を異なる長さの寸法で折り重ねた二重薄板体、又は、二重薄板の間にマチを設けた二重薄板体にして、二重薄板体のみの両端、及びマチを設けたマチ入り二重薄板体を圧着して糊しろ蓋付きの封筒状にしている容器を提案されている
（特許文献１参照）。【０００３】各地の特産物を収納した箱体において、デザイン性を持たせ、安全、安心して自然感を味わえる張り合わせた折り畳み蓋付き木製食品収納箱として、折り畳み蓋付き食品収納箱において、厚さ３〜７ｍｍの木製の長方体、又は正方体であって、当該箱体１の蓋を前記横幅の１／２〜１／８の幅で、長さ２００〜７００ｍｍの板体を横に並べて、表面に紙、樹脂フイルム、布シートを接着剤によって張り合わせた折り畳み状の蓋になって、箱体内に食品関係を収納できるようになっている容器が提案されている
（特許文献２参照）。【０００４】木目をもって木の香りがした食事用具の食品包装容器において、食品を簡単に包装できて、容器自体も衛生的見地からしても好ましいものを求めたところ、木製薄板で加工された食品包装用具として、針葉樹林から選ばれた厚さ０．１〜１ｍｍの木製の薄平板の上片面に、和紙、又はポリオレフィンの極薄品のフイルムで食品安全な接着剤によって接着被覆された自然木状表面を持つ擬似未加工状態の薄板によって、厚さ３〜１２ｍｍ、の木製板の２〜４枚を両端にして、前記木製板の周囲全体を巻くように覆って、内部を前記の針葉樹材の表面を持つ木製容器になっている木製薄板使用食品包装用具が提案されている
（特許文献３参照）。【０００５】ワンウェイ弁当容器等の食品包装用容器の陳列効果を維持しつつ、容器の幅を変更して持ち帰りし易くした食品容器として、ご飯を入れる収納凹部とおかずを入れる収納凹部をヒンジ部で繋ぐ事により折り畳んで重ねる事が出来るようにし、且つ収納凹部の少なくとも一方に蓋を被せて折り畳みの作業を容易に行えるようにしたものが提案されている
（特許文献４参照）。【０００６】組立式であって、使用後、平板状のまま容器の四隅を畳やすく、収納を楽にした一枚のシート材に折り目加工をした特徴ある折り畳み式の食品容器を提供するために、底部の四隅方向の折り目を介して左右の壁と前後の壁を設け、更に前後の壁の延長である先端の折込部を内側に折り曲げ、折込部の更に内側と前後の壁の内側に留め部を備えたシート材の折り畳み式の食品容器が提案されている
（特許文献５参照）。【０００７】使用しない場合は折り畳んだ状態にし、使用時に展開する折り畳み式の弁当容器であって、従来の技術に見られるように弁当容器が展開した状態を保つために別途支持板を嵌め込むことなく、弁当容器の安定した展開状態が得られる木質弁当容器を提供する。木質の弁当容器であって、底面部と、該底面部の短手方向の両側辺にそれぞれ連結する一対の第１側面部と、該底面部の長手方向の両側辺にそれぞれ連結する一対の第２側面部とを有する板材と、及び該底面部と該第２側面部との間に貼着して、展開した場合該第１側面部とともに該弁当容器が展開した状態を保つように設けた端面封着紙によって構成することが提案されている（特許文献６参照）。【０００８】在庫管理を容易にするために、紙製のみの折り畳み式、重ね合わせ式平面状食品包装容器は種々存在しているが、簡単に使用できて、収納が容易な収納型容器で、薄板の木製折り畳み式包装容器は見当たらない。特に折り曲げの技術に課題をもっている。
【先行技術文献】
【特許文献】
【０００９】
【特許文献１】実用新案登録第３２１３２９５号公報
【特許文献２】実用新案登録第３１８４５３１号公報
【特許文献３】特開２０１６−１９６３２７号公報
【特許文献４】特開２００２−１６０７８６号公報
【特許文献５】実開平５−２９９２５号公報
【特許文献６】実用新案登録第３１３４１１１号公報
【考案の概要】
【考案が解決しようとする課題】
【００１０】この考案は、使用しない場合は折り畳んだ状態にし、使用時に展開する折り畳み式の包装容器であって、従来の技術に見られるように商品類包装容器が展開した状態を保つために別途支持板を嵌め込むことなく、食品収納の薄板又は紙製容器で周囲を薄板又は平紙巻き正方形、又は長方形の平方体を全体的に又は部分的に巻く包装容器であって、商品類の収納を安定して展開状態が得られる表面上は木質平薄板の包装容器を提供することを課題とする。【００１１】前記の点に鑑みなされたものであり、また最近の環境問題で樹脂容器の使用を制限する動きの上、環境にやさしい紙、木材の容器で、使用、収納の点で安易な容器として折り畳みが可能なものが期待されている容器の折り畳みを可能とし、省スペース化を図ることにより環境の問題で解決できる紙、木材の製品であって、廃棄や回収が安易であって、収納時も効率を高めることができる新たな容器並びにその折り畳みのための構造、この容器を用いて商品類を充填・収納できる容器製品を提供するものである。
【課題を解決するための手段】
【００１２】折り畳み式包装容器として、折り畳み式収納容器部と、一枚の薄板又は平紙巻き正方形、又は長方形の平方体を全体的に又は部分的に巻く包装部とからなり、折り畳み式収納容器部は、０．５〜２ｍｍの薄板、又は平紙によって構成されていて、正方形、又は長方形の平方体である正方体、又は長方体の四辺に折り曲げ可能な各側板部を持っており、長手方向の側板部には短手方向の側板を接合できるように３〜４箇所の糊代部を設けて、短手方向の二箇所の側板にはそれぞれ余足部を設けて、正方体、又は長方体の箱状容器を構成できるように組み立て時に折り曲げ可能な押圧溝を各箇所に付けた樹脂フイルム加工を片面に施した０．５〜１ｍｍの表面コートした薄板、又は装飾模様を示した平紙からなる箱状容器であって、
一枚の薄板、又は平紙巻き包装部は、長手方向の幅で短手方向の幅と側面の幅を加算した寸法の１〜２倍にして、それに一側面の幅程度を加算した長さを持つ樹脂フイルムでコートした０．２〜０．５ｍｍの薄板、或は０．３〜２ｍｍの厚さの平紙で構成されている折り畳み式簡易包装容器である。【００１３】折り畳み式包装容器に構成される箱状容器は、縦５０〜４００ｍｍ、横５０〜４００ｍｍ、高さ２５〜２００ｍｍの寸法で、０．５〜２ｍｍの薄板、又は平紙によって折り畳み形式で構成されており、前記箱状正方体、又は長方体容器における長手方向の側板部の端に付いている糊代部は一辺２０〜４０ｍｍの三角形の形状にして、短手方向の側板に付いている余足部は８〜１５ｍｍの幅の正方形状、又は長方形状にして、折り曲げ可能な押圧溝を蓋板面に３〜４個所、底板容器部に３〜４箇所、糊代部３〜４箇所、補足部に１〜２箇所、短手方向の側板の斜め折り曲げ部２〜４箇所に、表面処理した紙、又は樹脂フイルムを施している薄板の処理面に０．１〜１．５ｍｍ幅の押圧溝部を設けている。【００１４】折り畳み式包装容器に構成される一枚の薄板又は平紙巻き正方体、又は長方体を全体的に又は部分的に巻く包装部は、薄板としてスライスした０．２〜０．５ｍｍの厚さの杉、檜、松、樅の薄板平板に、片面にオレフィン系樹脂フイルムの１０〜１００μｍの接着剤を塗布して圧縮加熱による接着を施したものであって、木質の木目が鮮明に露呈でるように加工したものであり、樹脂フイルム接着面に木質との通気性を持たせるように樹脂面に突穴を設けており、前記平薄板においては、前記箱状正方体、又は長方体の容器を全体的に又は部分的に巻き回しできるように寸法にあわせて０．１〜１．５ｍｍ幅の押圧溝部を短手方向で２〜５箇所に設けている。【００１５】折り畳み式収納容器部と一枚の薄板巻き正方体、又は長方体を全体的に又は部分的に巻く包装部とからなる折り畳み式包装容器は、平方体の包装部の一部と折り畳み式包装容器の裏面とを固着させており、折り畳み式包装容器の正方形、又は長方形の四辺に折り曲げ可能な各側板部で、長手方向の側板部には短手方向の側板とを接合できるように３〜４箇所の糊代部で接合した後に、短手側板の斜め折り曲げ部を内側に押し曲げて平方体にして、折り畳み式収納容器部と一枚の薄板、及び平紙を全体的に又は部分的に巻き薄板，又は平紙の巻き包装部と一対として重ねあわせて、折り畳み式包装容器における蓋の役目になっている。【００１６】一枚の薄板、又は平紙を巻く包装部には、無垢木材の木目状態を呈しての薄板、及び平紙の表面に日本古来の絵柄、又は祝い様相の精巧で、緻密な立体感を持つ絵柄、或は図柄、或はプリント写真、或は文体を描いており風景・自然、植物・動物・食品のプリント写真、又はペット写真を、一枚の薄板、又は平紙巻き蓋面に当たる部分の表面の５〜８０％の面積に印刷、又はレーザープリント、又は焼き印を施している。
【考案の効果】
【００１７】この考案による木質平薄板、及び紙の折り畳み式包装容器は、折り畳み式収納容器部と一枚の薄板巻き正方形、又は長方形の薄板巻き包装部とからなり、折り畳みによって包装容器になる０．２〜２ｍｍの厚さの薄板平板、紙からなっており、数箇所折りになって底面部と蓋面部とを一体に成形することによって製造工程を簡易化することができるため、製品の歩留まりを高めることができるとともに、折り畳んで収納、搬送する場合に便利であり、また展開して包装容器として使用する場合に展開した状態を確実に保つことができるという利点を有する。また容器の折り畳みを可能とし、省スペース化を図ることにより環境の問題で解決できる紙、木材の製品である。さらに廃棄や回収が安易であって、収納時も効率化できる新たな容器並びにその折り畳みのための構造になっており、さらにこの容器を用いて商品類を容易に充填できる商品である。
【図面の簡単な説明】
【００１８】
【図１】折り畳み式包装容器紙製折り畳み式収納容器部と薄板巻き長方体を全体的に巻く包装部）の斜視図である。
【図２】折り畳み式包装容器（紙製折り畳み式収納容器部と薄板巻き長方体を全体的に巻く包装部）を収納と使用する状態を示した斜視図である。Ａ：折り畳み式包装容器の平板状態  Ｂ：一枚の薄板巻き長方形平薄板の巻き包装部
【図３】折り畳み式包装容器（薄板製折り畳み式収納容器部と平紙巻き長方体を部分的に巻く包装部）を収納と使用する状態を示した斜視図である。Ａ：折り畳み式包装容器の平板状態  Ｂ：一枚の薄板巻き長方形平薄板の巻き包装部
【図４】折り畳み式包装容器（紙製折り畳み式収納容器部と平紙巻き正方体、を部分的に巻く包装部）を収納と使用する状態を示した斜視図である。Ａ：折り畳み式包装容器の平板状態  Ｂ：一枚の薄板巻き長方形平薄板の巻き包装部
【図５】折り畳み式収納容器部（紙製折り畳み式収納容器部と薄板巻き長方体を全体的に巻く包装部）を展開した状態を示した説明図である。Ａ：折り畳み式包装容器の折り畳み状態  Ｂ：折り畳み式包装容器を巻き包装部に取り付けた状態
【図６】折り畳み式包装容器（薄板製折り畳み式収納容器部と平紙巻き長方体を部分的に巻く包装部）を組立前の状態と完成品を示した斜視図である。Ａ：折り畳み式包装容器の平板状態  Ｂ：一枚の薄板巻き長方形平薄板の巻き包装部  Ｃ：完成品
【図７】折り畳み式包装容器（紙製折り畳み式収納容器部と平紙巻き正方体、を部分的に巻く包装部）を組立前の状態と完成品を示した斜視図である。Ａ：折り畳み式包装容器の平板状態  Ｂ：一枚の薄板巻き長方形平薄板の巻き包装部  Ｃ：完成品
【図８】折り畳み式包装容器（紙製折り畳み式収納容器部と薄板巻き長方体を全体的に巻く包装部）の弁当容器として食品充填使用状態の斜視図である。Ａ：使用した包装状態図  Ｂ：内容物を入れた状態
【考案を実施するための形態】
【００１９】この考案は、使用しない場合は折り畳んで収納することができ、展開して使用できる折り畳み式平面状包装容器を提供するものであって、蓋面部と底面部と、該底面部の短手方向の両側辺にそれぞれ連結する一対の第１側面部と、該底面部の長手方向の両側辺にそれぞれ連結する一対の第２側面部とを有する板材及び該底面部と該第２側面部との間に貼着して、展開した場合該第１側面部とともに該折り畳み式平面状包装容器が展開した状態を保つように設けた。
【００２０】かかる折り畳み式平面状包装容器の構造と特徴を説明するために、具体的な実施例を挙げ、図面を参照にして以下に説明する。
【実施例１】
【００２１】図１に示すように折り畳み式包装容器で、折り畳み式収納容器部と一枚の薄板巻き長方形平薄板の巻き包装部とからなり、折り畳み式収納容器部は、０．５ｍｍの平紙によって構成されていて、長方形の四辺に折り曲げ可能な各側板部を持っており、長手方向の側板部には短手方向の側板を接着できるように三角形状の糊代部を４箇所に設けて、短手方向の二箇所の側板にはそれぞれ余足部を設けて、長方体の箱状容器を構成できるように組み立て時に折り曲げ可能な押圧溝を各箇所に付けたフイルム加工を片面に施した０．６ｍｍの表面コートした平紙からなる箱状長方体容器であり、一枚の薄板巻き長方形平薄板の包装部は、長手方向の幅で短手方向の幅と側面の幅を加算して２倍にして、それに一側面の幅を加算した長さの樹脂フイルムでコートした０．５ｍｍの長方形平薄板である折り畳み式簡易包装容器であった。【００２２】折り畳み式包装容器に構成される箱状長方体容器は、縦１２０ｍｍ、横１８０ｍｍ、高さ４０ｍｍの寸法であって、０．５ｍｍ厚さの平紙によって折り畳み形式で構成されており、前記箱状長方体容器における長手方向の側板部の端に付いている糊代部は一辺４０ｍｍの直角三角形の形状にして、短手方向の側板に付いている余足部は１０ｍｍの幅の長方形状にして、折り曲げ可能な押圧溝を蓋板面に３個所、底板容器部に４箇所、糊代部４箇所、補足部に２箇所、短手方向の側板の斜め折り曲げ部４箇所に、表面処理した紙の処理面に０．１ｍｍ幅の押圧溝部を設けた。【００２３】図２Ｂに示すように、折り畳み式包装容器に構成される一枚の薄板巻き長方形平薄板の巻き包装部は、スライスした０．５ｍｍの厚さの杉の薄板平板に、片面にポリエチレン系樹脂フイルムの５０μｍの接着剤を塗布して圧縮加熱による接着を施したものであって、図２Ａで示すように木質の木目が鮮明に露呈でるように加工したものであり、樹脂フイルム接着面に木質との通気性を持たせるように樹脂面に突穴を設けており、前記長方形平薄板においては、前記箱状長方体容器を巻き回しできるように寸法にあわせて０．１ｍｍ幅の押圧溝部を短手方向で３箇所に設けた。【００２４】図１に示すように折り畳み式収納容器部と一枚の薄板巻き長方形平薄板の巻き包装部とからなる折り畳み式包装容器は、図２Ｂの長方形平薄板の巻き包装部の一部と図５Ａの折り畳み式食品包装容器の裏面とを固着させており、折り畳み式食品包装容器の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、図５Ｂの折り畳み式収納容器部と一枚の薄板巻き長方形平薄板の巻き包装部とを一対として重ねあわせた。【００２５】図８に示すように一枚の薄板巻き長方形平薄板の巻き包装部の平薄板には、無垢木材の木目状態を呈して表面に祝い様相の精巧で、緻密な立体感を持つ絵柄を描いており、一枚の薄板巻き長方形平薄板の蓋面に当たる部分の表面の１０％の面積に、印刷を施した。図８Ｂのように弁当食物の巻きずし、ちらし寿司とおかずを入れた。薄板の包装部によって巻いて、図８Ａのように弁当にした。
【実施例２】
【００２６】実施例と同様に、図１に示すように折り畳み式包装容器で、折り畳み式収納容器部と一枚の薄板巻き長方形平薄板の巻き包装部とからなり、
折り畳み式収納容器部は、０．５ｍｍの薄板によって構成されていて、長方形の四辺に折り曲げ可能な各側板部を持っており、長手方向の側板部には短手方向の側板を接合できるように４箇所の糊代部を設けて、短手方向の二箇所の側板にはそれぞれ余足部を設けて、長方体の箱状容器を構成できるように組み立て時に折り曲げ可能な押圧溝を各箇所に付けた樹脂フイルム加工を片面に施した０．５ｍｍの表面コートした薄板、又は平紙からなる箱状長方体容器であり、一枚の薄板巻き長方形平薄板の包装部は、長手方向の幅で短手方向の幅と側面の幅を加算して２倍にして、それに一側面の幅を加算した長さの樹脂フイルムでコートした０．５ｍｍの長方形平薄板である折り畳み式簡易包装容器であった。【００２７】折り畳み式包装容器に構成される箱状長方体容器は、縦１５０ｍｍ、横２２０ｍｍ、高さ３５ｍｍの寸法で０．５ｍｍの薄板によって折り畳み形式で構成されており、前記箱状長方体容器における長手方向の側板部の端に付いている糊代部は一辺３０ｍｍの直角三角形の形状にして、短手方向の側板に付いている余足部は１２ｍｍの幅の長方形状にして、折り曲げ可能な押圧溝を蓋板面に３個所、底板容器部に４箇所、糊代部４箇所、補足部に２箇所、短手方向の側板の斜め折り曲げ部４箇所に、樹脂フイルムを施している薄板の処理面に０．１幅の押圧溝部を設けた。【００２８】折り畳み式包装容器に構成される一枚の薄板巻き長方形平薄板の巻き包装部は、スライスした０．２〜０．５ｍｍの厚さの杉の薄板平板に、片面にポリエチレン系樹脂フイルムの５０μｍ厚さを塗布して圧縮加熱による接着を施したものであって、木質の木目が鮮明に露呈でるように加工したものであり、樹脂フイルム接着面に木質との通気性を持たせており、前記長方形平薄板においては、前記箱状長方体容器を巻き回しできるように寸法にあわせて０．１ｍｍ幅の押圧溝部を短手方向で３箇所に設けた。【００２９】折り畳み式収納容器部と一枚の薄板巻き長方形平薄板の巻き包装部とからなる折り畳み式包装容器は、長方形平薄板の包装部の一部と折り畳み式食品包装容器の裏面とを固着させており、折り畳み式包装容器の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、折り畳み式収納容器部と一枚の薄板巻き長方形平薄板の包装部とを一対として重ねあわせた。【００３０】一枚の薄板巻き長方形平薄板の巻き包装部の平薄板には、無垢木材の木目状態を呈して表面に食品のプリント写真を、一枚の薄板巻き長方形平薄板の蓋面に当たる部分の表面の１０％の面積に、印刷を施した。
【実施例３】
【００３１】実施例１と同様な折り畳み式包装容器で、折り畳み式収納容器部と一枚の薄板巻き長方形平薄板の巻き包装部とからなり、
折り畳み式収納容器部は、０．５ｍｍの平紙によって構成されていて、長方形の四辺に折り曲げ可能な各側板部を持っており、長手方向の側板部には短手方向の側板を接合できるように４箇所の糊代部に設けて、短手方向の二箇所の側板にはそれぞれ余足部を設けて、長方体の箱状容器を構成できるように組み立て時に折り曲げ可能な押圧溝を各箇所に付けた樹脂フイルム加工を片面に施した０．６ｍｍの表面コートした薄板からなる箱状長方体容器であり、一枚の薄板巻き長方形平薄板の巻き包装部は、長手方向の幅で短手方向の幅と側面の幅を加算して２倍にして、それに一側面の幅を加算した長さの樹脂フイルムでコートした０．５ｍｍの長方形平薄板である折り畳み式簡易包装容器であった。【００３２】折り畳み式包装容器に構成される箱状長方体容器は、縦１１０ｍｍ、横１６０ｍｍ、高さ３５ｍｍの寸法であって、厚さ０．５ｍｍの薄板によって折り畳み形式で構成されており、前記箱状長方体容器における長手方向の側板部の端に付いている糊代部を一辺２０ｍｍの三角形の形状にして、短手方向の側板に付いている余足部は８ｍｍの幅の長方形状にして、折り曲げ可能な押圧溝を蓋板面に３個所、底板容器部に４箇所、糊代部４箇所、補足部に２箇所、短手方向の側板の斜め折り曲げ部４箇所に、表面処理した紙と薄板の処理面に０．１ｍｍ幅の押圧溝部を設けた。【００３３】折り畳み式包装容器に構成される一枚の薄板巻き長方形平薄板の巻き包装部は、スライスした０．５ｍｍの厚さの松の薄板平板に、片面にオレフィン系樹脂フイルムの１５μｍの接着剤を塗布して圧縮加熱による接着を施したものであって、木質の木目が鮮明に露呈でるように加工したものであり、樹脂フイルム接着面に木質との通気性を持たせるように樹脂面に突穴を設けており、前記長方形平薄板においては、前記箱状長方体容器を巻き回しできるように寸法にあわせて０．１ｍｍ幅の押圧溝部を短手方向で５箇所に設けた。【００３４】折り畳み式収納容器部と一枚の薄板巻き長方形平薄板の包装部とからなる折り畳み式食品包装容器は、長方形平薄板の巻き包装部の一部と折り畳み式包装容器の裏面とを固着させており、折り畳み式食品包装容器の長方形の四辺に折り曲げ可能な各側板部で、長手方向の側板部には短手方向の側板とを接着できるように三角形状の糊代部の４箇所で接着した後に、短手側板の斜め折り曲げ部を内側に押し曲げて平板状にして、折り畳み式収納容器部と一枚の薄板巻き長方形平薄板の包装部とを一対として重ねあわせた。【００３５】一枚の薄板巻き長方形平薄板の巻き包装部の平薄板には、無垢木材の木目状態を呈して表面に食品の模様を、一枚の薄板巻き長方形平薄板の蓋面に当たる部分の表面の２０％の面積に焼き印を施した。
【実施例４】
【００３６】図６に示すように折り畳み式包装容器で、折り畳み式収納容器部と一枚の薄板巻き長方形平薄板の巻き包装部とからなり、折り畳み式収納容器部は、０．３ｍｍの薄板によって構成されていて、長方形の四辺に折り曲げ可能な各側板部を持っており、長手方向の側板部には短手方向の側板を接着できるように三角形状の糊代部を４箇所に設けて、短手方向の二箇所の側板にはそれぞれ余足部を設けて、長方体の箱状容器を構成できるように組み立て時に折り曲げ可能な押圧溝を各箇所に付けたフイルム加工を片面に施した０．３ｍｍの表面コートした薄板からなる箱状長方体容器であり、一枚の薄板巻き長方形平薄板の包装部は、長手方向の幅で短手方向の幅と側面の幅を加算して１倍にして、それに一側面の幅を加算した長さの樹脂フイルムでコートした０．３ｍｍの長方形平薄板である折り畳み式簡易包装容器であった。【００３７】折り畳み式包装容器に構成される箱状長方体容器は、縦１２０ｍｍ、横１８０ｍｍ、高さ４０ｍｍの寸法で０．３ｍｍの薄板によって折り畳み形式で構成されており、前記箱状長方体容器における長手方向の側板部の端に付いている糊代部は一辺４０ｍｍの直角三角形の形状にして、短手方向の側板に付いている余足部は１０ｍｍの幅の長方形状にして、折り曲げ可能な押圧溝を蓋板面に３個所、底板容器部に４箇所、糊代部４箇所、補足部に２箇所、短手方向の側板の斜め折り曲げ部４箇所に、表面処理した薄板の処理面に０．１ｍｍ幅の押圧溝部を設けた。【００３８】図６に示すように、折り畳み式包装容器に構成される一枚の薄板巻き長方形平薄板の巻き包装部は、スライスした０．３ｍｍの厚さの杉の薄板平板に、片面にポリエチレン系樹脂フイルムの５０μｍの接着剤を塗布して圧縮加熱による接着を施したものであって、図６で示すように木質の木目が鮮明に露呈でるように加工したものであり、樹脂フイルム接着面に木質との通気性を持たせるように樹脂面に突穴を設けており、前記長方形平薄板においては、前記箱状長方体容器を巻き回しできるように寸法にあわせて０．１ｍｍ幅の押圧溝部を短手方向で３箇所に設けた。【００３９】図６に示すように折り畳み式収納容器部と一枚の薄板巻き長方形平薄板の巻き包装部とからなる折り畳み式包装容器は、図６の長方形平薄板の巻き包装部の一部と図６の折り畳み式包装容器の裏面とを固着させており、折り畳み式食品包装容器の長方形の四辺に折り曲げ可能な各側板部で、長手方向の側板部には短手方向の側板とを接合できるように４箇所の糊代部で接合した後に、短手側板の斜め折り曲げ部を内側に押し曲げて平板状にして、図５Ｂの折り畳み式収納容器部と一枚の薄板巻き長方形平薄板の巻き包装部とを一対として重ねあわせた。【００４０】実施例１と同様に一枚の薄板巻き長方形平薄板の巻き包装部の平薄板には、無垢木材の木目状態を呈して表面に祝い様相の精巧で、緻密な立体感を持つ絵柄、を描いており、一枚の薄板巻き長方形平薄板の蓋面に当たる部分の表面の２０％の面積に、印刷を施した。図８ように白ご飯とおかずを入れた。薄板の包装部によって巻いて、弁当にした。
【符号の説明】
【００４１】１．  折り畳み式包装容器
２．  薄平板
３．  樹脂フイルム
４．  折り畳み式食品包装容器
５．  一枚の薄板巻き長方形平薄板の巻き包装部
６．  糊代部
７．  余足部
８．  折り曲げ部
９．  斜め折り曲げ部
１０．押圧溝
１１．側板部
１２．接着部
１３．節
１４．木目
１５．絵模様
１６．紐結び
１７．食品内容物
【図１】
0003223519.tif 000003
【図２】
0003223519.tif 000004
【図３】
0003223519.tif 000005
【図４】
0003223519.tif 000006
【図５】
0003223519.tif 000007
【図６】
0003223519.tif 000008
【図７】
0003223519.tif 000009
【図８】
0003223519.tif 000010